(57)【要約】【課題】複数の部分に分割された集合ファンネルを固定金具ごと回動させてその取り外しと取り付けを容易に行えるようにし、これによって保守点検および洗浄を容易に行えるようにする。【解決手段】集合ファンネル２６を構成する複数のファンネル部３２，３３，３４を１つの固定金具３５に支持し、この固定金具３５を組合せ秤の本体フレーム３８に吊持される支柱３６に対してその支柱３６の軸心周りに回動可能に支持する。【選択図】図２
2009019939.tif 000002
【特許請求の範囲】
【請求項１】
複数の計量ホッパから排出される被計量物を受け入れて集合させる複数のファンネル部を有する組合せ秤の集合ファンネルであって、
前記複数のファンネル部が１つの固定金具に支持され、この固定金具が組合せ秤の本体フレームに吊持される支柱に対してその支柱の軸心周りに回動可能に支持されていることを特徴とする組合せ秤の集合ファンネル。
【請求項２】
各ファンネル部は、前記固定金具に対して取り付け・取り外し自在に支持されている請求項１に記載の組合せ秤の集合ファンネル。
【請求項３】
前記支柱の下端部には円盤状のフランジ部が設けられ、前記固定金具の中央部には前記フランジ部に対し前記支柱の軸心周りに回動可能な状態で外嵌されるボス部が設けられ、前記ボス部の内周面と前記フランジ部の外周面との位置決めが、これらボス部およびフランジ部のうちの一方に埋設されるボールプランジャと他方に形成される凹溝との係合によりなされる請求項１または２に記載の組合せ秤の集合ファンネル。
【発明の詳細な説明】
【技術分野】
【０００１】
本発明は、組合せ秤において、複数の計量ホッパから排出された物品を包装機などの後装置へ供給するための集合ファンネルに関するものである。
【背景技術】
【０００２】
一般に、組合せ秤は、複数の計量ホッパによって被計量物の重量を計量し、これら計量値を種々に組合せて、その組合せの中から合計重量が予め定められた目標重量に等しいかもしくは近い組合せを選択し、選択された組合せを構成する被計量物を計量ホッパより排出して包装機にて包装するように構成されたものである。
【０００３】
次に、組合せ秤の全体構成について、図１に示される本発明の実施形態の組合せ秤の全体構成図を用いて説明する。なお、組合せ秤の全体構成については本実施形態の構成は従来例のものと基本的に異なるところがない。
【０００４】
一般に、この種の組合せ秤２０においては、複数の計量ホッパ２１と、その上方に配される供給ホッパ２２とが、メインフィーダ（分散フィーダ）２３の周囲に円形に配置され、メインフィーダ２３から送られてきた被計量物Ｗが放射状に配された複数のリニアフィーダ２４によって各供給ホッパ２２に送り込まれる。また、計量ホッパ２１の下方には複数の集合シュート２５が配され、この集合シュート２５の下方にはその集合シュート２５から供給される被計量物Ｗを受け取って下方の包装機へ排出する集合ファンネル２６´が配されている。メインフィーダ２３は円錐形状のトップコーン２３ａを有し、上方の供給装置２７からトップコーン２３ａ上に供給された被計量物Ｗはそのトップコーン２３ａの振動によって振り分けられ、リニアフィーダ２４のフィーダパン２４ａを経由して供給ホッパ２２内に供給される。
【０００５】
各計量ホッパ２１内に供給された被計量物Ｗの重量は重量センサ２８によって計量され、その計量信号に基づき制御装置２９において組合せ演算が実行され、これら組合せの中で、合計重量が目標重量に等しいか最も近い適合組合せが選択される。そして、この適合組合せを構成している被計量物Ｗが収容されている計量ホッパ２１から被計量物Ｗが集合シュート２５に排出される。この排出によって空になった計量ホッパ２１には、その上方にある供給ホッパ２２から被計量物Ｗが供給される。供給ホッパ２２から計量ホッパ２１への被計量物Ｗの供給が完了すると、供給された被計量物Ｗの計量が行われている間に、空になった供給ホッパ２２には、対応するリニアフィーダ２４から被計量物Ｗが供給される。このようにして、リニアフィーダ２４が作動すると、制御装置２９はメインフィーダ２３を作動させて、各リニアフィーダ２４に被計量物Ｗを供給する。また、供給装置２７からトップコーン２３ａに供給された被計量物Ｗの量はレベルセンサ３０によって検出され、検出された被計量物Ｗの量に応じて供給装置２７の作動が制御される。なお、図１において、符号３１にて示されるのは、制御装置２９に付設された操作設定表示部である。
【０００６】
この種の組合せ秤に用いられる集合ファンネルの構造に関する従来技術として、特許文献１，２に開示されるものがある。特許文献１に示される例では、計量ホッパをグループ分けし、集合シュートおよびそれらの下方に設けた集合ファンネルもグループに対応した部屋に区画され、グループの計量ホッパ内の被計量物がグループごとに独立して組み合わされ、選択された被計量物が、その部屋に対応する包装機の物品受入口に供給されるように構成されている。また、特許文献２に示される例では、計量ホッパが３つの計量ホッパ群に分割されるとともに、集合ファンネルが、各計量ホッパ群に対応して３つの部屋に分けられ、各部屋の下部にそれぞれ排出口が設けられ、これら排出口は同一の高さ位置で一直線状に位置し、下方に包装機の一直線状に配置された物品受入口が位置するように構成されている。
【０００７】
ところで、組合せ秤は、菓子、冷凍食品等の食品を計量することが多く、そのために定期的に食品と接触する部品を洗浄することが必要である。ここで、洗浄の必要な部品は、トップコーン２３ａ、リニアフィーダパン２４ａ、供給ホッパ２２、計量ホッパ２１、集合シュート２５および集合ファンネル２６´である。これらの部品のうち、集合ファンネルは、物品収納手段としての計量ホッパの数が多くなるのに伴ってそのサイズが大きくなり、洗浄時の取り外し、取り付けが困難になってくる。このため、この集合ファンネルは、分解構造にされ、物品収納手段群の数だけ個別に取り外し、取り付けできるような構造にされている。
【０００８】
図４には、従来の集合ファンネルの取付構造が示されている。この集合ファンネル２６´は、３つのファンネル部３２，３３，３４に分割され、各ファンネル部３２，３３，３４がＹ字形状の固定金具３５´に取り付けられて構成されている。固定金具３５´の中央部には支柱３６´の下端部が一体に取り付けられ、この支柱３６´の上端部が組合せ秤の本体フレーム３８に吊下げ支持されるとともに、固定金具３５´の各先端部が延設されて組合せ秤の水平フレーム３７上面に固定支持され、これによって集合ファンネル２６´が組合せ秤本体に支持されている。
【０００９】
しかしながら、上記従来の集合ファンネルの取付構造では、固定金具３５´が本体フレーム３８に固定されているために、各ファンネル部３２，３３，３４を取り外そうとした場合、その取り外し方向は、矢印Ｐ，Ｑ，Ｒにて示されるように集合ファンネル２６´の中心から放射方向に遠ざかる三方向となる。ここで、組合せ秤の設置場所については、壁面に沿わせて設置したり、あるいは周囲に別の機械を設置する場合が多いために、集合ファンネルの保守、洗浄時における取り外し、取り付けが極めて困難であるという問題点がある。また、この集合ファンネル２６´は分割した場合でも嵩張るため、取り扱いが厄介である。
【００１０】
【特許文献１】実開昭６０−１８３８３１号公報
【特許文献２】特開２００６−１１２８９５号公報
【発明の開示】
【発明が解決しようとする課題】
【００１１】
本発明は、このような問題点に鑑みてなされたもので、複数の部分に分割された集合ファンネルを固定金具ごと回動させてその取り外しと取り付けを容易に行えるようにし、これによって保守点検および洗浄を容易に行うことのできる組合せ秤の集合ファンネルを提供することを目的とするものである。
【課題を解決するための手段】
【００１２】
前記目的を達成するために、本発明による組合せ秤の集合ファンネルは、
複数の計量ホッパから排出される被計量物を受け入れて集合させる複数のファンネル部を有する組合せ秤の集合ファンネルであって、
前記複数のファンネル部が１つの固定金具に支持され、この固定金具が組合せ秤の本体フレームに吊持される支柱に対してその支柱の軸心周りに回動可能に支持されていることを特徴とするものである。
【００１３】
本発明において、各ファンネル部は、前記固定金具に対して取り付け・取り外し自在に支持されているのが好ましい。
【００１４】
また、前記支柱の下端部には円盤状のフランジ部が設けられ、前記固定金具の中央部には前記フランジ部に対し前記支柱の軸心周りに回動可能な状態で外嵌されるボス部が設けられ、前記ボス部の内周面と前記フランジ部の外周面との位置決めが、これらボス部およびフランジ部のうちの一方に埋設されるボールプランジャと他方に形成される凹溝との係合によりなされるのが好ましい。
【発明の効果】
【００１５】
本発明によれば、複数のファンネル部を支持する固定金具が組合せ秤の本体フレームに吊持される支柱に対してその支柱の軸心周りに回動可能に支持されているので、集合ファンネルの保守点検あるいは洗浄時に固定金具を支柱に対して回動させて任意の位置で任意の方向にファンネル部を取り外すことができ、また洗浄等の所要の作業終了後に容易に取り付けることができる。したがって、当該組合せ秤を壁面に沿わせて設置したり、組合せ秤の周辺に別の機械が設置されていたとしても、集合ファンネルの保守点検あるいは洗浄を容易に行うことができる。
【発明を実施するための最良の形態】
【００１６】
次に、本発明による組合せ秤の集合ファンネルの具体的な実施の形態について、図面を参照しつつ説明する。
【００１７】
図１には、本発明の一実施形態に係る組合せ秤の全体構成が模式的に示されている。また、図２には、本実施形態の集合ファンネルの斜視図が示され、図３には、集合ファンネルの支持部の詳細構造図が示されている。本実施形態において、組合せ秤の全体構成については先に述べた従来例のものと基本的に異なるところがないので、ここではその詳細な説明を省略することとする。なお、従来例と共通する部分には図に同一符号が付され、従来例と対応する部分については従来例の方に「´」付きの符号で示されている。
【００１８】
図２に示されるように、本実施形態の集合ファンネル２６は、平面視略円形で、同形同大の３つのファンネル部３２，３３，３４に分割され、各ファンネル部３２，３３，３４が板材よりなるＹ字状の固定金具３５に取り付けられて構成されている。ここで、固定金具３５の放射方向に延びる３本のアーム部３５ａ，３５ｂ，３５ｃは、各ファンネル部３２，３３，３４を支持するに足りる長さであって、その先端部がファンネル部３２，３３，３４の外周面から外方へ突出しない長さにされている。また、固定金具３５の各アーム部３５ａ，３５ｂ，３５ｃの先端部上面には位置決めダボ４０が設けられており、この位置決めダボ４０が各ファンネル部３２，３３，３４の外周部に形成された位置決め孔に係合されることで、固定金具３５に各ファンネル部３２，３３，３４が係止・保持される。
【００１９】
前記固定金具３５の中央部３５ｄは三角形形状とされ、その中心部に円形孔３５ｅが形成されている。また、この中央部３５ｄの下面には円筒状のボス部４１が固着され、このボス部４１の円筒孔が上記円形孔３５ｅに連通するようにされている。
【００２０】
前記固定金具３５は支柱３６により組合せ秤の本体フレーム３８に吊下げ支持されている。前記支柱３６は、円柱状もしくは円筒状の支柱本体３６ａの上端部に取付用の上部フランジ部３６ｂを有するとともに、下端部に円盤状の下部フランジ部３６ｃを有する形状とされている。ここで、支柱本体３６ａの外径は固定金具３５の円形孔３５ｅに対してその軸心周りに相対回動可能な状態で嵌合される径に形成され、かつ下部フランジ部３６ｃの外径はボス部４１の円筒孔に対してその軸心周りに相対回動可能な状態で嵌合される径に形成されている。また、支柱本体３６ａの長さは、集合ファンネル２６を所定の高さに位置させた状態で、上部フランジ部３６ｂをボルト４２にて本体フレーム３８に固着できる長さに形成されている。
【００２１】
前記支柱３６は、下部フランジ部３６ｃ（もしくは上部フランジ部３６ｂ）を支柱本体３６ａの下端（もしくは上端）に固着した状態で、支柱本体３６ａにワッシャ４３を挿通するとともに、その支柱本体３６ａをボス部４１の円筒孔および中央部３５ｄの円形孔３５ｅに挿通した後、支柱本体３６ａの上端（もしくは下端）に上部フランジ部３６ｂ（もしくは下部フランジ部３６ｃ）を固着することにより、固定金具３５に組み付けられる。なお、支柱３６に対する固定金具３５の位置決めのために、ボス部４１の内周面には等間隔に３本のボールプランジャ４４が埋設されるとともに、支柱３６の下部フランジ部３６ｃにはそのボールプランジャ４４に対応してそのボールプランジャ４４が係止される凹溝４５が形成されている。
【００２２】
したがって、支柱３６に対して固定金具３５を組み付けたときには、支柱３６の下部フランジ部３６ｃにボス部４１が外嵌されるとともに、支柱本体３６ａに固定金具３５の中央部３５ｄが外嵌され、下部フランジ部３６ｃの上面にワッシャ４３を介して固定金具３５の中央部３５ｄが載置され、ボス部４１の内周面に埋設された３本のボールプランジャ４４が下部フランジ部３６ｃの外周面に形成された凹溝４５内に嵌入して支柱３６に対して固定金具３５が位置決めされてそれら両者の相対回動が阻止された状態にある。なお、ボールプランジャ４４と凹溝４５との係止力に抗して、固定金具３５およびファンネル部３２，３３，３４を支柱３６の軸心周りに前記係止力を超える力で回動させると、固定金具３５およびファンネル部３２，３３，３４を回動させることができる。
【００２３】
本実施形態の集合ファンネル２６は以上のように構成されているので、ファンネル部３２，３３，３４の保守点検あるいは洗浄に際しては、保守点検あるいは洗浄すべきファンネル部３２〜３４を矢印Ｓにて示されるように組合せ秤前面の取り出し易い位置まで支柱３６の軸心周りに回動させ、ファンネル部３２〜３４の外周部に形成された位置決め孔と固定金具３５の位置決めダボ４０との係合状態を解除することで、例えば矢印Ｐ方向に容易に取り外すことができる。また、この取り外しと逆の操作で、洗浄等の所要の作業が終了したファンネル部３２〜３４を固定金具３５に容易に取り付けることができる。
【００２４】
このように本実施形態の集合ファンネル２６によれば、組合せ秤を壁面に沿わせて設置したり、組合せ秤の周辺に別の機械が設置されていたとしても、ファンネル部３２，３３，３４を任意の方向に回動させて取り外し・取り付けることができるので、集合ファンネル２６の保守点検あるいは洗浄を容易に行うことができるという優れた効果を奏するものである。
【００２５】
本実施形態において、固定金具３５のボス部４１にボールプランジャ４４を埋設するとともに、支柱３６の下部フランジ部３６ｃにそのボールプランジャ４４が係止される凹溝４５を形成したものを説明したが、下部フランジ部３６ｃにボールプランジャ４４を埋設し、ボス部４１に凹溝４５を形成しても良い。
【図面の簡単な説明】
【００２６】
【図１】本発明の一実施形態に係る組合せ秤の全体構成が模式的
【図２】本実施形態の集合ファンネルの斜視図
【図３】本実施形態の集合ファンネルの支持部の詳細構造図
【図４】従来の集合ファンネルの取付構造を示す斜視図
【符号の説明】
【００２７】
２０    組合せ秤
２１    計量ホッパ
２２    供給ホッパ
２３    メインフィーダ
２４    リニアフィーダ
２５    集合シュート
２６    集合ファンネル
２７    供給装置
２８    重量センサ
２９    制御装置
３０    レベルセンサ
３１    操作設定表示部
３２，３３，３４    ファンネル部
３５    固定金具
３５ａ，３５ｂ，３５ｃ  アーム部
３５ｄ  中央部
３５ｅ  円形孔
３６    支柱
３６ａ  支柱本体
３６ｂ  上部フランジ部
３６ｃ  下部フランジ部
３７    水平フレーム
３８    本体フレーム
４０    位置決めダボ
４１    ボス部
４２    ボルト
４３    ワッシャ
４４    ボールプランジャ
４５    凹溝
【図１】
2009019939.tif 000003
【図２】
2009019939.tif 000004
【図３】
2009019939.tif 000005
【図４】
2009019939.tif 000006